(57)【特許請求の範囲】
【請求項１】
予め機器番号を示す通し番号が割り振られた複数の空気調和装置の制御を行う制御装置あるいは監視を行う監視装置に装備され、単一の表示灯を点灯、消灯させることによって前記空気調和装置の前記機器番号の数字を表示する数字表示装置における数字表示方法において、
前記数字表示装置が、短時間の点灯を１の数値とし、長時間の点灯を５の数値とし、これらを組み合わせて数字を表示し、前記機器番号が「５」については短時間の点灯で表示し、前記機器番号が１０以上の「５」の倍数の数字については長時間の点灯と短時間の点灯との組み合わせによって表示することを特徴とする数字表示方法。
【請求項２】
予め機器番号を示す通し番号が割り振られた複数の空気調和装置の制御を行う制御装置あるいは監視を行う監視装置に装備され、単一の表示灯を点灯、消灯させることによって前記空気調和装置の前記機器番号の数字を表示する数字表示装置における数字表示方法において、
前記数字表示装置が、短時間の点灯を１の数値とし、長時間の点灯を５の数値とし、長時間の高速点滅を１０の数値とし、これらを組み合わせて数字を表示し、前記機器番号が「５」については短時間の点灯で表示し、前記機器番号が１０以上の「５」の倍数の数字については、長時間の点灯と短時間の点灯との組み合わせ、長時間の高速点滅と短時間の点灯との組み合わせ、あるいは、長時間の点灯と長時間の高速点滅と短時間の点灯との組み合わせのうち、いずれかによって表示することを特徴とする数字表示方法。
【請求項３】
予め機器番号を示す通し番号が割り振られた複数の空気調和装置の制御を行う制御装置あるいは監視を行う監視装置に装備され、点灯、消灯可能な単一の表示灯を備えて前記空気調和装置の前記機器番号の数字を表示する表示装置において、
短時間の点灯を１の数値とし、長時間の点灯を５の数値とし、これらを組み合わせて数字を表示し、前記機器番号が「５」については短時間の点灯で表示し、前記機器番号が１０以上の「５」の倍数の数字については長時間の点灯と短時間の点灯との組み合わせによって表示することを特徴とする数字表示装置。
【請求項４】
予め機器番号を示す通し番号が割り振られた複数の空気調和装置の制御を行う制御装置あるいは監視を行う監視装置に装備され、点灯、消灯可能な単一の表示灯を備えて前記空気調和装置の機器番号の数字を表示する数字表示装置において、
短時間の点灯を１の数値とし、長時間の点灯を５の数値とし、長時間の高速点滅を１０の数値とし、これらを組み合わせて数字を表示し、前記機器番号が「５」については短時間の点灯で表示し、機器番号が１０以上の「５」の倍数の数字については、長時間の点灯と短時間の点灯との組み合わせ、長時間の高速点滅と短時間の点灯との組み合わせ、あるいは、長時間の点灯と長時間の高速点滅と短時間の点灯との組み合わせのうち、いずれかによって表示することを特徴とする数字表示装置。
【発明の詳細な説明】
【０００１】
【発明の属する技術分野】
本発明は、数字表示方法および数字表示装置に係り、特に、吸収式冷温水機、ガスヒートポンプ式空気調和装置、パッケージ式空気調和装置の制御装置や監視装置において、機器番号を表示する数字表示方法および数字表示装置に関する。
【０００２】
【従来の技術】
吸収式冷温水機又は空気調和装置の制御装置や監視装置には、点灯と消灯が可能な単一の表示灯を用いて、その点滅により、機器番号などの数字を表示する数字表示装置が装備されているものがある。
【０００３】
つまり、数字表示装置は、図４に示すように、表示灯の短時間の点灯ｍを「１」の数値とし、長時間の点灯ｎを「５」の数値というように点灯時間に重みづけをし、これらを組み合わせて「（長時間の点灯ｎの数）×５＋短時間の点灯ｍの数」として数字を表示している。さらに、数字表示装置は、これら短時間の点灯ｍおよび長時間の点灯ｎによる点灯の前に長時間の消灯ｏを入れて数字の区切りとし、一つの数字を示す短時間の点灯ｍ、長時間の点灯ｎ及び上記長時間の消灯ｏを複数回繰り返して表示している。
【０００４】
例えば、数字表示装置は、長時間の消灯ｏの後に短時間の点灯ｍを３回実施することで数字「３」を表示し、長時間の消灯ｏの後に長時間の点灯ｎを１回実施することで数字「５」を表示し、長時間の消灯ｏの後に長時間の点灯ｎを２回実施することで数字「１０」を表示している。
【０００５】
【発明が解決しようとする課題】
ところが、短時間の点灯ｍが数値「１」を、長時間の点灯ｎが数値「５」をそれぞれ表示するという知識だけを有する制御装置等の操作者は、図４（Ｅ）、（Ｊ）及び（Ｏ）に示す点滅表示を観察したとき、点灯時間の異なる比較の対象となる点灯（すなわち短時間の点灯ｍ）が無いため、これらの点滅表示を短時間の点灯ｍが１回、２回、３回それぞれ実施されたものと誤解して、数字「１」、「２」、「３」をそれぞれ表示しているものと間違える虞がある。
【０００６】
また、桁の大きな数字を表すために、さらに長時間の点灯が「１０」の数値を表示するというように点灯の種類を増加させると、一つの数字を表示する点滅パターンの１周期の時間は短くなるものの、上記操作者は３種類の点灯時間を識別しなければならず、この場合も、数字の数え間違いを起こす虞がある。
【０００７】
本発明の目的は、上述の事情を考慮してなされたものであり、数字(空気調和装置の機器番号)の数え間違いの発生を防止できる数字表示方法及び数字表示装置を提供することにある。
【０００８】
【課題を解決するための手段】
請求項１に記載の発明は、予め機器番号を示す通し番号が割り振られた複数の空気調和装置の制御を行う制御装置あるいは監視を行う監視装置に装備され、単一の表示灯を点灯、消灯させることによって前記空気調和装置の前記機器番号の数字を表示する数字表示装置における数字表示方法において、前記数字表示装置が、短時間の点灯を１の数値とし、長時間の点灯を５の数値とし、これらを組み合わせて数字を表示し、前記機器番号が「５」については短時間の点灯で表示し、前記機器番号が１０以上の「５」の倍数の数字については長時間の点灯と短時間の点灯との組み合わせによって表示することを特徴とする。
【０００９】
請求項２に記載の発明は、予め機器番号を示す通し番号が割り振られた複数の空気調和装置の制御を行う制御装置あるいは監視を行う監視装置に装備され、単一の表示灯を点灯、消灯させることによって前記空気調和装置の前記機器番号の数字を表示する数字表示装置における数字表示方法において、前記数字表示装置が、短時間の点灯を１の数値とし、長時間の点灯を５の数値とし、長時間の高速点滅を１０の数値とし、これらを組み合わせて数字を表示し、前記機器番号が「５」については短時間の点灯で表示し、前記機器番号が１０以上の「５」の倍数の数字については、長時間の点灯と短時間の点灯との組み合わせ、長時間の高速点滅と短時間の点灯との組み合わせ、あるいは、長時間の点灯と長時間の高速点滅と短時間の点灯との組み合わせのうち、いずれかによって表示することを特徴とする。
【００１０】
請求項３に記載の発明は、予め機器番号を示す通し番号が割り振られた複数の空気調和装置の制御を行う制御装置あるいは監視を行う監視装置に装備され、点灯、消灯可能な単一の表示灯を備えて前記空気調和装置の前記機器番号の数字を表示する表示装置において、短時間の点灯を１の数値とし、長時間の点灯を５の数値とし、これらを組み合わせて数字を表示し、前記機器番号が「５」については短時間の点灯で表示し、前記機器番号が１０以上の「５」の倍数の数字については長時間の点灯と短時間の点灯との組み合わせによって表示することを特徴とする。
【００１１】
請求項４に記載の発明は、予め機器番号を示す通し番号が割り振られた複数の空気調和装置の制御を行う制御装置あるいは監視を行う監視装置に装備され、点灯、消灯可能な単一の表示灯を備えて前記空気調和装置の機器番号の数字を表示する数字表示装置において、短時間の点灯を１の数値とし、長時間の点灯を５の数値とし、長時間の高速点滅を１０の数値とし、これらを組み合わせて数字を表示し、前記機器番号が「５」については短時間の点灯で表示し、機器番号が１０以上の「５」の倍数の数字については、長時間の点灯と短時間の点灯との組み合わせ、長時間の高速点滅と短時間の点灯との組み合わせ、あるいは、長時間の点灯と長時間の高速点滅と短時間の点灯との組み合わせのうち、いずれかによって表示することを特徴とする。
【００１５】
長時間の点灯は、短時間の点灯と必ず混在するので、長時間の点灯を短時間の点灯であると誤認させることを防止でき、このため、数字(空気調和装置の機器番号)の数え間違いの発生を防止できる。
【００１７】
長時間の点灯又は長時間の高速点滅は、短時間の点灯と必ず混在するので、長時間の点灯又は長時間の高速点滅を短時間の点灯であると誤認させることを防止でき、このため、数字(空気調和装置の機器番号)の数え間違いの発生を防止できる。
【００１８】
また、短時間の点灯で数値１を表示し、長時間の点灯で数値５を表示する他、長時間の高速点滅で数値１０を表示することから、１０〜９０の位の桁の大きな数字を短時間に表示でき、数字の数え間違いの発生を防止できる。
【００１９】
【発明の実施の形態】
以下、本発明の実施の形態を図面に基づき説明する。
【００２０】
[Ａ]第一の実施の形態（図１、図２）
吸収式冷温水機、ガスヒートポンプ式空気調和装置（圧縮機の駆動源がガスエンジンであるもの）、パッケージ式空気調和装置（圧縮機の駆動源が電動機であるもの）などの制御装置や監視装置には、点灯と消灯が可能な単一の表示灯（不図示）を備え、この表示灯の点滅により空気調和装置の機器番号としての数字を表示する数字表示装置が装備されている。
【００２１】
この数字表示装置の上記表示灯は、例えば発光ダイオード（ＬＥＤ）であり、図１（Ａ）および（Ｄ）に示す短時間（約０．２秒）の点灯と消灯、図１（Ｂ）および（Ｅ）に示す長時間（約１秒）の点灯と消灯がそれぞれ可能となるように構成される。上記短時間の点灯ａ（図１（Ａ））が「１」の数値を示し、上記長時間の点灯ｂ（図１（Ｂ））が「５」の数値を示し、上記短時間の消灯ｄが点灯の区切りを示し、上記長時間の消灯ｅが数字の区切りを示す。
【００２２】
数字表示装置は、短時間の点灯ａと短時間の消灯ｄを組み合わせて数字「１」〜「５」を表示し、短時間の点灯ａと長時間の点灯ｂと短時間の消灯ｄとを組み合わせて数字「６」以上を表示する。ただし、桁の大きな数字ほど一つの数字を表示するための表示灯の点灯パターンの１周期が長くなるため、本実施の形態では数字「３０」を上限とする。
【００２３】
数字表示装置は、短時間の点灯ａと長時間の点灯ｂが混在することで数字を表示する場合には、長時間の点灯ｂを先に点灯させることによって、これらの短時間の点灯ａと長時間の点灯ｂとが不規則に混じり合うことを防止する。
【００２４】
更に、数字表示装置は、一つの数字を表示する表示灯の点滅パターンの前に長時間の消灯ｅを実施して数字の区切りとし、この長時間の消灯ｅを含み、一つの数字を表示する表示灯の点滅パターンを繰り返し実施させる。なお数字「０」の表示は、長時間の消灯ｅの繰り返し、つまり表示灯の連続消灯によってなされる。
【００２５】
上記制御装置の操作者などは、数字表示装置における表示灯の点滅パターンを観察し、「（長時間の点灯ｂの数）×５＋短時間の点灯ａの数」を計算して数字を認識し、空気調和装置の機器番号を知る。
【００２６】
次に、数字の表示の具体例を、図２を用いて説明する。
【００２７】
数字「１」は、長時間の消灯ｅの後に短時間の点灯ａを１回実施することで表示する（図２（Ａ））。同様に、数字「３」は、長時間の消灯ｅの後に短時間の点灯ａ及び短時間の消灯ｄを２回実施し、その後短時間の点灯ａを一回実施することで表示する（図２（Ｃ））。数字「５」は、長時間の消灯ｅの後に、短時間の点灯ａ及び短時間の消灯ｄを４回実施し、その後に短時間の点灯ａを一回実施することで表示する（図２（Ｅ））。
【００２８】
数字「６」は、長時間の消灯ｅの後に長時間の点灯ｂ、短時間の消灯ｄ、短時間の点灯ａを順次実施することで表示する（図２（Ｆ））。数字「１０」は、長時間の消灯ｅの後に長時間の点灯ｂを実施し、その後、短時間の消灯ｄ及び短時間の点灯ａを５回実施することで表示する（図２（Ｊ））。
【００２９】
数字「１３」は、長時間の消灯ｅ後に長時間の点灯ｂ、短時間の消灯ｄ、長時間の点灯ｂを順次実施し、その後、短時間の消灯ｄ及び短時間の点灯ａを３回実施することで表示する（図２（Ｍ））。数字「１６」は、長時間の消灯ｅの後に、長時間の点灯ｂ及び短時間の消灯ｄを３回実施し、その後に短時間の点灯ａを１回実施することで表示する（図２（Ｐ））。数字「２０」は、長時間の消灯ｅの後に、長時間の点灯ｂ及び短時間の消灯ｄを３回実施し、その後に短時間の点灯ａ及び短時間の消灯ｄを４回実施し、その後に短時間の点灯ａを１回実施することで表示する（図２（Ｑ））。
【００３０】
従って、上記実施の形態によれば、次の効果▲１▼を奏する。
【００３１】
▲１▼図２（Ｅ）、（Ｊ）、（Ｏ）、（Ｑ）などに示すように、本来、短時間の点灯ａを用いることなく長時間の点灯ｂのみを用いて表示できる数字「５」の倍数の数字を短時間の点灯ａのみ、又は短時間の点灯ａと長時間の点灯ｂとの組み合わせによって表示している。このように、長時間の点灯ｂは短時間の点灯ａと必ず混在するので、長時間の点灯ｂを短時間の点灯ａであると誤認させることを防止でき、このため、数字（空気調和装置の機器番号）の数え間違いの発生を防止できる。
【００３２】
[Ｂ]第二の実施の形態（図１、図３）
この第二の実施の形態の数字表示装置は、表示灯にて短時間の点灯ａ、長時間の点灯ｂ、短時間の消灯ｄ及び長時間の消灯ｅを実施するほか、図１（Ｃ）に示すように、長時間の高速点滅ｃを実施する。この長時間の高速点滅ｃは、０．１秒周期の点滅を１秒間継続させるものであり（従って点滅回数は１０回）、この長時間の高速点滅ｃにて数値「１０」を示す。
【００３３】
数字表示装置は、短時間の点灯ａと短時間の消灯ｄを組み合わせて数字「１」〜「５」を表示し、短時間の点灯ａと長時間の点灯ｂと短時間の消灯ｄとを組み合わせて数字「６」〜「１０」を表示し、短時間の点灯ａと長時間の点灯ｂと長時間の高速点滅ｃと短時間の消灯ｄとを組み合わせて数字「１１」以上を表示する。ただし、桁の大きな数字ほど一つの数字を表示するための表示灯の点滅パターンの１周期が長くなるので、本実施の形態では数字「１００」を上限とする。
【００３４】
なお、長時間の高速点滅ｃは、人の目に点滅回数が数えられず、点滅している事実が認識できる程度のものである。このため、長時間の高速点滅ｃの点滅時間は１秒であっても長時間の点灯ｂと区別でき、１秒以上の点滅時間とする必要はない。
【００３５】
また、数字表示装置は、短時間の点灯ａと長時間の点灯ｂと長時間の高速点滅ｃとが混在することで数字を表示する場合には、先ず長時間の高速点滅ｃを先行させ、次に長時間の点灯ｂを実施し、その後短時間の点灯ａを実施することで、これらの短時間の点灯ａ、長時間の点灯ｂ、長時間の高速点滅ｃが不規則に混じり合うことを防止する。
【００３６】
次に、この第二の実施の形態における数字の表示の具体例を、図３を用いて説明する。
【００３７】
数字「１」〜「１０」の表示は、前記第一の実施の形態と同様である（図３（Ａ）〜（Ｊ））。数字「１１」は、長時間の消灯ｅの後に長時間の高速点滅ｃ、短時間の消灯ｄ、短時間の点灯ａを順次実施することで表示する（図３（Ｋ））。
【００３８】
数字「１５」は、長時間の消灯ｅの後に長時間の高速点滅ｃを実施し、その後に短時間の消灯ｄ及び短時間の点灯ａを５回実施することで表示する（図３（Ｏ））。数字「１６」は、長時間の消灯ｅの後に長時間の高速点滅ｃ、短時間の消灯ｄ、長時間の点灯ｂ、短時間の消灯ｄ、短時間の点灯ａを順次実施することで表示する（図３（Ｐ））。
【００３９】
数字「２０」は、長時間の消灯ｅの後に長時間の高速点滅ｃ、短時間の消灯ｄ、長時間の点灯ｂを順次実施、その後、短時間の消灯ｄ及び短時間の点灯ａを５回実施することで表示する（図３（Ｑ））。数字「２１」は、長時間の消灯ｅの後に、長時間の高速点滅ｃ及び短時間の消灯ｄを２回実施し、その後に短時間の点灯ａを１回実施することで表示する（図３（Ｒ））。数字「３０」は、長時間の消灯ｅの後に、長時間の高速点滅ｃ及び短時間の消灯ｄを２回実施し、その後に長時間の点灯ｂを実施した後、短時間の消灯ｄ及び短時間の点灯ａを５回実施することで表示する（図３（Ｓ））。
【００４０】
従って、上記第二の実施の形態によれば、次の効果▲２▼及び▲３▼を奏する。
【００４１】
▲２▼長時間の点灯ｂ又は長時間の高速点滅ｃは、短時間の点灯ａと必ず混在するので、長時間の点灯ｂまたは長時間の高速点滅ｃを短時間の点灯ａであると誤認させることを防止でき、このため数字（空気調和装置の機器番号）の数え間違いの発生を防止できる。
【００４２】
▲３▼短時間の点灯ａで数値「１」を表示し、長時間の点灯ｂで数値「５」を表示するほか、長時間の高速点滅ｃで数値「１０」を表示することから、「１０」〜「９０」の位の大きな数字を短時間で表示でき、数字の数え間違いの発生を防止できる。
【００４３】
以上、一実施の形態に基づいて本発明を説明したが、本発明はこれに限定されるものではない。
【００４４】
上記実施の形態でなされた短時間の点灯ａや短時間の消灯ｄ、長時間の点灯ｂや長時間の消灯ｅ、又は長時間の高速点滅ｃは一例であり、人間の目で認識できる範囲で自由な時間を使用できる。例えば、長時間の高速点滅ｃの点滅周期は０．０５秒であっても良い。
【００４５】
【発明の効果】
以上のように、本発明では、予め機器番号を示す通し番号が割り振られた複数の空気調和装置の制御を行う制御装置あるいは監視を行う監視装置に装備され、単一の表示灯を点灯、消灯させることによって前記空気調和装置の前記機器番号の数字を表示する数字表示装置における数字表示方法において、前記数字表示装置が、短時間の点灯を１の数値とし、長時間の点灯を５の数値とし、これらを組み合わせて数字を表示し、前記機器番号が「５」については短時間の点灯で表示し、前記機器番号が１０以上の「５」の倍数の数字については長時間の点灯と短時間の点灯との組み合わせによって表示することから、長時間の点灯を短時間の点灯であると誤認させることを防止でき、この結果、数字の数え間違いの発生を防止できる。
また、予め機器番号を示す通し番号が割り振られた複数の空気調和装置の制御を行う制御装置あるいは監視を行う監視装置に装備され、単一の表示灯を点灯、消灯させることによって前記空気調和装置の前記機器番号の数字を表示する数字表示装置における数字表示方法において、前記数字表示装置が、短時間の点灯を１の数値とし、長時間の点灯を５の数値とし、長時間の高速点滅を１０の数値とし、これらを組み合わせて数字を表示し、前記機器番号が「５」については短時間の点灯で表示し、前記機器番号が１０以上の「５」の倍数の数字については、長時間の点灯と短時間の点灯との組み合わせ、長時間の高速点滅と短時間の点灯との組み合わせ、あるいは、長時間の点灯と長時間の高速点滅と短時間の点灯との組み合わせのうち、いずれかによって表示することから、長時間の点灯あるいは長時間の高速点滅を、短時間の点灯であると誤認させることを防止でき、この結果、数字の数え間違いの発生を防止できる。
【図面の簡単な説明】
【図１】本発明に係る数字表示装置の第一の実施の形態において、表示灯の点滅の種類を示す図である。
【図２】図１の点滅の種類を用いて表示される、異なった種類の複数の数字の点滅パターン（１周期）を示す図である。
【図３】本発明に係る数字表示装置の第二の実施の形態において表示される、異なった種類の複数の数字の点滅パターン（１周期）を示す図である。
【図４】従来の数字表示装置において表示される複数の種類の数字の点滅パターン（１周期）を示す図である。
【符号の説明】
ａ  短時間の点灯
ｂ  長時間の点灯
ｃ  長時間の高速点滅
【図１】
0004215323.tif 000002
【図２】
0004215323.tif 000003
【図３】
0004215323.tif 000004
【図４】
0004215323.tif 000005